(57)【要約】【課題】開封した包装袋を片側のサイドシール部の上端付近を摘まんで持ち上げたときに、開口縁の開口形状を保持することができる包装袋の提供。【解決手段】重ね合わせた表側フィルム１と裏側フィルム２の端縁をシールしたシール部３及び４を有する包装袋１００であって、前記表側フィルム１及び前記裏側フィルム２の少なくとも一方に、可塑変形可能な形状保持部材７を備え、前記形状保持部材７は、一方のシール部３から他方のシール部４に向けて開封する開封予定線８の内容物側の位置であって、少なくとも一方のシール部３と他方のシール部４間の中央部を含み、かつ、一方と他方のシール部３及び４から離間した位置に付設されている。【選択図】図１
2018083640.tif 000002
【特許請求の範囲】
【請求項１】
重ね合わせた表側フィルムと裏側フィルムの端縁をシールしたシール部を有する包装袋であって、
前記表側フィルム及び前記裏側フィルムの少なくとも一方に、可塑変形可能な形状保持部材を備え、
前記形状保持部材は、一方のシール部から他方のシール部に向けて開封する開封予定線の内容物側の位置であって、少なくとも前記一方のシール部と前記他方のシール部間の中央部を含み、かつ、前記一方及び他方のシール部から離間した位置に付設されている
ことを特徴とする、包装袋。
【請求項２】
前記形状保持部材は、前記表側及び／又は裏側フィルムの最内面のシーラント層に付設され、
前記形状保持部材を被覆し、かつ前記シーラント層に熱融着された、前記シーラント層と同種の材料のカバー層を更に設けた
ことを特徴とする、請求項１記載の包装袋。
【請求項３】
前記形状保持部材は、前記中央部から前記一方及び他方のシール部のどちらか一方側にのみ延在して付設されている
ことを特徴とする、請求項１又は２記載の包装袋。
【請求項４】
前記形状保持部材は、前記中央部に選択的に付設されている
ことを特徴とする、請求項１又は２記載の包装袋。
【発明の詳細な説明】
【技術分野】
【０００１】
本発明は、包装袋に係り、より詳細には、開封した後の開口縁の開口形状を保持する形状保持部材を備えた包装袋に関する。
【背景技術】
【０００２】
レトルトパウチのように内容物を収容する軟質合成樹脂フィルムの包装袋が広く利用されている。かかる包装袋の多くは、上部シール部に近い部分を一方のシール部から他方のシール部まで手指で引き裂くことによって開封される。開封された包装袋の食品等の内容物は、通常、他の食器等の容器に移し替えられて提供されるが、包装袋をそのまま簡易食器として使用することもある。
【０００３】
特許文献１には、レトルトパウチをそのまま簡易食器として使用するために、底部にマチ部を設けた自立型パウチ容器の外面に、開口部の開口形状を保持する軟鉄等の形状保持部材を設けた包装袋が記載されている。
【０００４】
さらに、近年、蒸気抜き孔を形成することにより電子レンジで加熱可能なレトルトパウチも開発されている。このように、湯煎だけでなく、電子レンジでもレトルトパウチをそのまま加熱することができるようになったため、レトルトパウチを簡易食器として使用する使用態様が増加すると考えられる。
【先行技術文献】
【特許文献】
【０００５】
【特許文献１】特開２００１−１７１６９１号公報
【発明の概要】
【発明が解決しようとする課題】
【０００６】
特許文献１では、簡易食器として使用する自立型パウチ容器をテーブル等に載置することを前提としている。しかし、実際にレトルトパウチを簡易食器として使用する際には、レトルトパウチを載置せず、手で保持することが多いと考えられる。より具体的には、開封したレトルトパウチを一方の手で保持し、他方の手に持ったスプーン等で内容物を掬って取り出す使用態様が想定される。
【０００７】
ところで、レトルトパウチは、軟質合成樹脂フィルムで形成されているため剛性が低く潰れ易いうえ、湯煎又は電子レンジによる加熱直後は熱くなっている。このため、レトルトパウチの側面を片手で挟んで保持することは困難である。また、レトルトパウチのシール部の両端に手指を掛けると、熱くなっているレトルトパウチの側面に掌が触れてしまう。したがって、レトルトパウチを片手で保持する際には、開封されたレトルトパウチ全体のうちで早く冷めるシール部の上部を手指で摘まんで持ち上げることが多いと考えられる。
【０００８】
ところが、一方のシール部を摘まんでレトルトパウチを持ち上げると、内容物の自重により、他方のシール部が一方のシール部と反対方向に押し下げられる。その結果、開封より形成された開口縁が狭まったり、閉じたりして、開封したレトルトパウチを簡易食器として使用することが困難となってしまうことがある。
【０００９】
本発明は、上記の事情に鑑みてなされたものであり、開封した包装袋を片側のシール部の上端付近を摘まんで持ち上げたときに、開口縁の開口形状を保持することができる包装袋を提供することを目的としている。
【課題を解決するための手段】
【００１０】
上記の目的を達成するため、本発明の包装袋は、重ね合わせた表側フィルムと裏側フィルムの端縁をシールしたシール部を有する包装袋であって、前記表側フィルム及び前記裏側フィルムの少なくとも一方に、可塑変形可能な形状保持部材を備え、前記形状保持部材は、一方のシール部から他方のシール部に向けて開封する開封予定線の内容物側の位置であって、少なくとも前記一方のシール部と前記他方のシール部間の中央部を含み、かつ、前記一方及び他方のシール部から離間した位置に付設されていることを特徴としている。
【発明の効果】
【００１１】
本発明の包装袋によれば、形状保持部材を備えているため、開封予定線にて開封した包装袋を片側のシール部の上端付近を摘まんで持ち上げたときに、開口縁の開口形状を保持することができる。
【図面の簡単な説明】
【００１２】
【図１】（ａ）は、本発明の第１実施形態による包装袋の正面図であり、（ｂ）は、（ａ）に示した包装袋の表側フィルムを除去して、裏側フィルムの内面側を示した図であり、（ｃ）は、（ｂ）に示した裏側フィルムのｃ−ｃ線に沿った断面図である。
【図２】本発明の第１実施形態による包装袋の斜視図である。
【図３】（ａ）は、形状保持部材を設けていない包装袋の上面模式図であり、（ｂ）は、本発明の第１実施形態による包装袋の上面模式図である。
【図４】（ａ）本発明の第２実施形態による包装袋の裏側フィルムの内面側を示した図であり、（ｂ）は、本発明の第２実施形態による包装袋の上面模式図である。
【図５】（ａ）本発明の第３実施形態による包装袋の裏側フィルムの内面側を示した図であり、（ｂ）は、本発明の第３実施形態による包装袋の上面模式図である。
【発明を実施するための形態】
【００１３】
以下、図面を参照して本発明の包装袋の実施形態を説明する。
【００１４】
（第１実施形態）
図１（ａ）に、本発明の第１実施形態による包装袋の正面図を示す。同図に示すように、本実施形態の包装袋１００は、重ね合わせた表側フィルム１と裏側フィルム２（図１（ｂ）参照）を、一方のシール部３及び他方のシール部４と上部のシール部５でヒートシールし、さらに、下部にマチ部６を設けたスタンディングパウチであり、これらシール部に囲まれた収容部に内容物が密封包装されている。
【００１５】
表側フィルム１及び裏側フィルム２は、例えば、熱融着可能なシーラント層１１と基材層１０（図１（ｃ）参照）による積層フィルムにより構成されている。また、印刷層、接着層を設けることも可能である。
【００１６】
なお、表側フィルム１及び裏側フィルム２には、熱融着可能であれば、な種々の材料及び構成を採用することができる。例えば、表側フィルム１及び裏側フィルム２は、ナイロン、直鎖状ポリエチレン、低密度ポリエチレン、高密度ポリエチレン、ポリプロピレン等のポリオレフィン類、ポリエチレンテレフタレートなどのポリエステル類等の熱可塑性樹脂、バリア性フィルムである蒸着フィルムや、アルミラミネートフィルムを挙げることができる。また、これらのプラスチックフィルムを単層で、或いは二種以上を積層して構成することができ、内容物に応じて適宜選択される。
【００１７】
また、表側フィルム１及び裏側フィルム２には、蒸気抜き孔１ａ及び２ａが形成されている。本実施形態の包装袋１００は、電子レンジ対応の包装袋であるため蒸気抜き孔１ａ及び２ａを形成しているが、電子レンジ対応の包装袋でなければ無くても良い。蒸気抜き孔１ａ及び２ａの形成位置は、蒸気が抜ける位置であれば特に限定されず、ノッチ３及び４より内容物側でも良いし、開口側でもよい。さらに、下記にて説明する形状保持部材７よりも内容物側でも良い。
【００１８】
本実施形態では、一方のシール部３のノッチ３ａ及び他方のシール部４のノッチ４ａ間に開封予定線８が形成又は仮想される。開封予定線８の内容物側（図１（ａ）の図面下側）の表側フィルム１及び裏側フィルム２それぞれの内側面に、可塑変形可能な形状保持部材７を備えている。形状保持部材７を包装袋１００の内側面に付設したことにより、表側フィルム１及び裏側フィルム２の外側面に対する印刷が、形状保持部材７によって制約を受けることを回避することができる。
【００１９】
形状保持部材７は、包装袋１００を開封予定線８にて開封することより形成される開口縁８ａに沿った方向に延在する平帯形状を有している。形状保持部７はまた、一方シール部３及び他方のシール部４間の中央部を通って、一方と他方のシール部３及び４間のほぼ全幅にわたって延在しているが、一方と他方のシール部３及び４からは離間して付設されている。
また、形状保持部材７は、可塑変形可能な材質であればよく、引抜延伸した熱可塑性ポリエステル系樹脂などがあげられる。なお、形状保持部材７は、積水成型工業株式会社から商品名「フォルテ」にて市販されているものを用いることができる。
【００２０】
なお、一方のシール部３及び他方のシール部４間の中央部とは、また、形状保持部材の７の延在方向に沿って、一方と他方のシール部３及び４それぞれから等距離の中間点を含む。特に、包装袋１００が左右対称な場合には、中心軸線Ａ上の点を含む。
【００２１】
また、形状保持部材７を一方と他方のシール部３及び４から離間させることにより、形状保持部材７が一方と他方のシール部３及び４のヒートシール面に挟み込まずに、一方と他方のシール部３及び４におけるヒートシールを確実行うことができる。よって、包装袋の密封性がより安定して確保できる。
【００２２】
図１（ｂ）に、開封予定線８にて開封した包装袋１００の表側フィルム１を除去して、裏側フィルム２の内面側を示す。包装袋１００の開口縁８ａは、図１（ａ）に示した包装袋１００の一方と他方のシール部３及び４のノッチ３ａ及び４ａを結ぶ直線である開封予定線８にほぼ沿って形成されるが、その直線上には限定されない。
【００２３】
図１（ｂ）に示すように、形状保持部材７は、裏側フィルム２の最内面に付設され、カバー層９によって被覆されている。
また、表側フィルム１の内面側にも同様に形状保持部材７が付設されている。
【００２４】
図１（ｃ）に、図１（ｂ）に示した裏側フィルムのｃ−ｃ線に沿った断面図を更に示す。なお、図１（ｃ）では、裏側フィルム２の積層構造のうち、基材１０とシーラント層１１以外の構成の図示を省略している。
図１（ｃ）に示すように、形状保持部材７は、裏側フィルム２の最内面のシーラント層１１とカバー層９との間に密封されている。カバー層９は、シーラント層１１に熱融着されている。
【００２５】
ところで、シーラント層１１は、例えば、ポリプロピレン樹脂で形成されている。これに対し、形状保持部材７は、引抜延伸した熱可塑性ポリエステル系樹脂で形成されている。一般に、異なる種類の樹脂どうしを熱融着することは困難である。そして、この形状保持部材７の材料もシーラント層１１の材料と異なっているため、形状保持部材７をシーラント層１１に熱融着することは困難である。
一方、形状保持部材７をシーラント１１に接着剤で固着させることも考えられるが、包装袋１００の内側に接着剤を使用することは好ましくない。
【００２６】
そこで、本実施形態では、上述したように、シーラント層１１と同種の材料のカバー層９で形状保持部材７を被覆し、カバー層９とシーラント層１１と熱融着している。これにより、形状保持部材７の材質がシーラント層１１のものと異なる場合であっても、包装袋１００の内側に形状保持部材７を、接着剤を使用することなく、容易かつ安全に付設することができる。カバー層９の大きさは、形状保持部材７よりも大きければ良く、シーラント層１１と同一幅とし、シール部３及び４にてシールしても良く、または、シーラント層１１よりも短い幅で、シール部３及び４に重ならなくても良い。
【００２７】
次に、図２に、包装袋１００の斜視図を示す。同図中に破線円Ｍで囲まれたサイドシール部３の上部を手指で摘まんで開封後の包装袋１００を持ち上げても、形状保持部材７によって開口縁８ａの開口形状が保持される。
【００２８】
図３を参照して、形状保持部材７の有無による開口形状の保持効果を更に説明する。図３（ａ）は、形状保持部材を設けていない包装袋の上面模式図であり、図３（ｂ）は、本実施形態による包装袋１００の上面模式図である。なお、図３（ｂ）では、カバー層９の図示を省略している。
【００２９】
まず、図３（ａ）に示すように、一方のシール部３を摘まんで包装袋を持ち上げると、内容物の自重により、他方のシール部４が一方のシール部３と反対方向に押し下げられる。即ち、一方と他方のシール部３及び４が互いに離れる方向に移動しようとする。その結果、開封より形成された開口縁８ａが狭まったり、閉じたりしてしまう。
【００３０】
これに対して、図３（ｂ）に示すように、表側フィルム１及び裏側フィルム２に可塑変形可能な形状保持部材７を付設すれば、形状保持部材７を湾曲又は折り曲げることによって開口縁８の開口形状が保持される。これにより、開封した包装袋１００を簡易食器として使用する際に、開口縁８ａが閉じることは防ぐことができる。
【００３１】
（第２実施形態）
次に、図４を参照して、第２実施形態の包装袋２００を説明する。
なお、本実施形態の包装袋２００は、形状保持部材７の配置を除き、第１実施形態の包装袋１００と実質的に同じであるため、同一構成要素については、同一符号を付してその詳細な説明を省略する。
【００３２】
図４（ａ）本実施形態による包装袋２００の裏側フィルム２の内面側を示した図、図４（ｂ）は、本実施形態による包装袋２００の上面模式図である。図４（ａ）に示すように、本実施形態では、形状保持部材７が、中心軸線Ａ上の点を含む中央部からシール部４側にのみ延在して付設されている。
【００３３】
このように、形状保持部材７が片方のシール部４側にのみ付設された場合であっても、図４（ｂ）に示すように、可塑変形可能な形状保持部材７を湾曲又は折り曲げることによって、包装袋２００の開口縁８の開口形状が保持される。また、形状保持部材７の長さを第１実施形態における形状保持部材７の長さよりも短くすることができるため、形状保持部材７の使用量を減らして製造コストの低減を図ることができる。
【００３４】
（第３実施形態）
次に、図５を参照して、第３実施形態の包装袋３００を説明する。
なお、本実施形態の包装袋３００は、形状保持部材７の配置を除き、第１実施形態の包装袋１００と実質的に同じであるため、同一構成要素については、同一符号を付してその詳細な説明を省略する。
【００３５】
図５（ａ）本実施形態による包装袋３００の裏側フィルム２の内面側を示した図、図５（ｂ）は、本実施形態による包装袋３００の上面模式図である。図５（ａ）に示すように、本実施形態では、形状保持部材７が、中心軸線Ａ上の点を含む中央部に選択的に付設されている。
【００３６】
なお、中央部に付設した形態保持部材１３の長さは、例えば、形状保持部材７の延在方向に沿った一対のサイドシール部３及び４間の長さの３分の１程度であるが、これよりも短い４分の１程度の長さから、これよりも長い２分の１程度の長さの範囲であることが好ましい。
【００３７】
このように、形状保持部材７が中央部にのみ付設された場合であっても、図５（ｂ）に示すように、可塑変形可能な形状保持部材７を湾曲又は折り曲げることによって、包装袋３００の開口縁８の開口形状が保持される。また、形状保持部材７の長さを第２実施形態における形状保持部材７の長さよりも更に短くすることができるため、形状保持部材７の使用量を減らして製造コストの一層の低減を図ることができる。
【００３８】
以上、本発明の実施形態を説明したが、本発明は、上述した実施形態に限定されるものではなく、本発明の範囲で種々の変更実施が可能である。上述した実施形態では、スタンディングパウチの包装袋の例を説明したが、本発明では、包装袋の形状はこれに限定されず、例えば、四方がシールされた平パウチ、ガゼット付きパウチ、及び、折り返したフィルムの三方をシールした包装袋にも適用することができる。
【００３９】
また、上述した実施形態では、表側フィルム及び裏側フィルムの両方に形状保持部材を設けた例を説明したが、本発明では、表側フィルム及び裏側フィルムの一方にのみ形状保持部材を設けてもよい。
【００４０】
また、上述した実施形態では、直線形状の形状保持部材を説明したが、形状保持部材の形状はこれに限定されず、例えば、表側及び／又は裏側フィルム面内で湾曲又は屈曲した形状を有してもよいし、枝分かれした形状を有してもよい。また、形状保持部材の幅は一定であってもよいし、一定でなくてもよい。
【００４１】
また、一方及び他方のシール部それぞれの長さ及び幅は互いに同一であってもよいし、異なっていてもよい。また、一方及び他方のシール部は、包装袋の中心線に対して対称に配置されてもよいし、非対称に配置されてもよい。また、一方及び他方のシール部は、互いに平行に配置されてもよいし、非平行に配置されてもよい。例えば、一方及び他方のシール部が互いに非平行であって、包装袋の平面形状が台形である場合には、その台形の中心軸線が縦方向に延びる対称軸線となる。
【産業上の利用可能性】
【００４２】
本発明に係る包装袋は、レトルトパウチのように食品を収容する包装袋の他、飲料や医薬品等に用いる各種包装袋にも適用することができる。
【符号の説明】
【００４３】
１  表側フィルム
１ａ  蒸気抜き孔
２  裏側フィルム
２ａ  蒸気抜き孔
３一方のシール部
４  他方のシール部
３ａ，４ａ  ノッチ
５  上部のシール部
６  マチ部
７  形状保持部材
８  開封予定線
８ａ  開口縁
９  カバー層
１０  基層
１１  シーラント層
【図１】
2018083640.tif 000003
【図２】
2018083640.tif 000004
【図３】
2018083640.tif 000005
【図４】
2018083640.tif 000006
【図５】
2018083640.tif 000007